(57)【要約】【課題】  簡単かつ確実にカバー体を覆蓋位置にもたらすことのできるカバー体付き電気コネクタを提供することを目的とする。【解決手段】  接続部２４を覆うためのカバー体３０がコネクタの一部材として組まれており、カバー体３０は回路基板Ｐ上の接続部２４を露出させる待機位置から該接続部を覆う覆蓋位置へ移動可能であり、加圧部材１３と該カバー体３０は、ハウジング１１もしくはこれに取付けられている支持部材３６により支持されている。【選択図】    図２
2006120554.tif 000002
【特許請求の範囲】
【請求項１】
回路基板上に配されるハウジングと、該ハウジングの内部空間に位置する接触部とハウジング外に突出して上記回路基板上に位置する接続部とが形成された端子と、上記内部空間内へ挿入された平型ケーブルを加圧して該平型ケーブルを上記接触部へ押圧接触せしめる加圧部材とを有し、上記加圧部材が内部空間への平型ケーブルの挿入を許容する開位置と該平型ケーブルを加圧する閉位置との間で可動である電気コネクタにおいて、接続部を覆うためのカバー体がコネクタの一部材として組まれており、カバー体は回路基板上の接続部を露出させる待機位置から該接続部を覆う覆蓋位置へ移動可能であり、上記加圧部材と上記カバー体は、上記ハウジングもしくはこれに取付けられている支持部材により支持されていることを特徴とするカバー体付き電気コネクタ。
【請求項２】
加圧部材とカバー体は、加圧部材の移動とカバー体の覆蓋位置への移動とが連動して行われ、カバー体が覆蓋位置へ移動した後は、加圧部材の移動は覆蓋位置のカバー体に係りなく単独で行われることを可能としていることとする請求項１に記載のカバー体付き電気コネクタ。
【請求項３】
加圧部材は開位置と閉位置との間で回動自在となっており、加圧部材を開位置へ向けて移動させることに連動してカバー体が待機位置から覆蓋位置へ向けて移動することとする請求項２に記載のカバー体付き電気コネクタ。
【請求項４】
カバー体は待機位置から覆蓋位置へ、回動そして直動の少なくとも一方の動作を伴って移動可能となっていることとする請求項２に記載のカバー体付き電気コネクタ。
【請求項５】
カバー体は、覆蓋位置でハウジングもしくは支持部材との間で位置固定するロック手段を有していることとする請求項１ないし請求項４のうちの一つに記載のカバー体付き電気コネクタ。  
【請求項６】
カバー体はカム軸を有し、ハウジングもしくは支持部材がカム軸受部を有し、カム軸受部は少なくとも一部に可撓部が設けられていて、カバー体の覆蓋位置への回動時に上記カム軸部が可撓部の最大撓み位置を超えて回動していることとする請求項４に記載のカバー体付き電気コネクタ。
【発明の詳細な説明】
【技術分野】
【０００１】
本発明はカバー体付き電気コネクタに関し、特に、回路基板上に配されるコネクタであって、端子の接続部が回路基板の回路部と接続された際に、この接続部を覆うことにより埃塵等から保護するカバー体を有する電気コネクタに関する。
【背景技術】
【０００２】
この種のコネクタとしては、添付図面の図１０に示されるような形式のものが知られている。このコネクタは、図１０（Ａ）に見られるコネクタ本体５０と図１０（Ｂ）に見られるカバー体６０とを別体として有している。
【０００３】
コネクタ本体５０は、金属板を抜き加工した端子５１をハウジング５２内で保持している。端子５１は図にて紙面に平行な面をもって、該紙面に直角な方向で所定間隔に複数配列されている。
【０００４】
ハウジング５２は左上部が開口され右半部に紙面と平行なスリット状の溝が左右に貫通して形成されていて、ここに上記端子５１が挿入保持されている。
【０００５】
上記端子５１は、上部で左方へ延びる支持腕５３と、下部で左方へ延びる弾性を有する接触腕５４と、下部で右方へハウジング外に突出する接続部５５とを有している。上記支持腕５３の先端寄りには円弧状の回動支持部５３Ａが形成され、接触腕５４の先端には上方に向いた突起状の接触部５４Ａが形成されている。
【０００６】
又、上記接続部５５はハウジング５２が回路基板Ｐ上に配されたときに回路基板Ｐ上の回路部（図示せず）に接するように位置している。
【０００７】
上記ハウジング５２の左上部の開口には加圧部材５６が設けられている。該加圧部材５６は軸部５６Ａを有し、該軸部５６Ａが上記端子の回動支持部５３Ａにより回動自在に案内支持されている。この加圧部材５６は、図示の閉位置から、上記軸部５６Ａを中心として時計方向まわりに回動して上方へ起立する開位置まで回動操作可能となっている。又、該加圧部材５６は、その開位置において、左方から上記端子の接触部５４Ａ上へ平型ケーブル（図示せず）を先端から挿入可能な空間を形成するようになる。さらに、該加圧部材５６は、その閉位置において、上記平型ケーブルを接触部５６Ａへ圧する加圧部５６Ｂを有している。
【０００８】
一方、カバー体６０は、上記コネクタ本体５０を上方から覆うように該コネクタ本体５０へ冠着されるように形成されている。該カバー体６０の上板部６１に、上記加圧部材５６の開位置への回動を可能とする切欠部６１Ａが形成され、さらに上部上板部６１の右端側内面には右壁部６２を可撓とする溝部６３が形成されている。さらに、上記右壁部６２の下端には外方に向け反るように湾曲したリップ部６２Ａを形成している。
【０００９】
かかるコネクタは、コネクタ本体５０が回路基板Ｐ上に配された後、端子５１の接続部５５が対応回路部と半田により接続されている。加圧部材５６の開位置にもたらされた状態において、平型ケーブルが挿入され、加圧部材５６を閉位置へ回動操作して、加圧部５６Ｂにて平型ケーブルを端子５１の接触部５４Ａへ圧して接触させる。
【００１０】
しかる後に、上記カバー体６０をコネクタ本体５０へ冠着せしめ上記接続部５５を覆う。リップ部６２Ａは回路基板と弾性的に接触し、両者間に埃塵等が進入する隙間が形成されることを防止する。かくして、上記接続部５５は、埃塵等から保護される。
【特許文献１】発見できず
【発明の開示】
【発明が解決しようとする課題】
【００１１】
しかしながら、添付図面の図１０に示した従来のカバー体付き電気コネクタにあっては、コネクタ本体とカバー体とが別途分離して用意され、コネクタの回路基板への接続後に、カバー体をコネクタ本体の位置までもってきてこれを取付けることとしているので、カバー体を別途用意すること、そしてカバー体をコネクタに取付ける作業が特別に必要であることにおいて部品の準備段階そして取付け段階での作業が面倒となる。又、カバー体の紛失にもつながる。
【００１２】
本発明は、以上の従来コネクタの有していた課題を解決し、カバー体がすでにコネクタに組み込まれていて、端子の回路基板への接続後におけるケーブルの結線作業時に確実かつ簡単にカバー体が端子の接続部を覆う位置に配置されるカバー体付き電気コネクタを提供することを目的とする。
【課題を解決するための手段】
【００１３】
本発明に係るカバー体付き電気コネクタは、回路基板上に配されるハウジングと、該ハウジングの内部空間に位置する接触部とハウジング外に突出して上記回路基板上に位置する接続部とが形成された端子と、上記内部空間内へ挿入された平型ケーブルを加圧して該平型ケーブルを上記接触部へ押圧接触せしめる加圧部材とを有し、上記加圧部材が内部空間への平型ケーブルの挿入を許容する開位置と該平型ケーブルを加圧する閉位置との間で可動である。
【００１４】
かかる電気コネクタにおいて、本発明では、接続部を覆うためのカバー体がコネクタの一部材として組まれており、カバー体は回路基板上の接続部を露出させる待機位置から該接続部を覆う覆蓋位置へ移動可能であり、上記加圧部材と上記カバー体は、上記ハウジングもしくはこれに取付けられている支持部材により支持されていることを特徴としている。
【００１５】
このような構成の本発明では、コネクタを所定の回路基板上に配し、端子の接続部を半田等で回路基板の対応回路部と接続した後、カバー体を覆蓋位置へ移動させて上記接続部を覆ってこれを保護する。
【００１６】
本発明では、加圧部材とカバー体は、加圧部材の移動とカバー体の覆蓋位置への移動とが連動して行われ、カバー体が覆蓋位置へ移動した後は、加圧部材の移動は覆蓋位置のカバー体に係りなく単独で行われることを可能としていることが好ましい。こうすることにより、端子の接続部を半田等で回路基板の対応回路部と接続した後、平型ケーブルのコネクタへの結線の準備のために加圧部材を開位置へ移動せしめると、これに連動してカバー体を覆蓋位置へ移動させて上記接続部を覆ってこれを保護するようになる。
【００１７】
平型ケーブルの挿入後、該ケーブルを端子の接触部と接続させるために加圧部材を閉位置へ移動操作されるが、その際、加圧部材は単独で移動し、カバー体は上記覆蓋位置に留まっている。
【００１８】
上記加圧部材とカバー体とは、加圧部材の開位置への移動の際に連動するので、カバー体を操作して覆蓋位置へ移動させることにより加圧部材を開位置へ移動させることもできる。
【００１９】
本発明において、加圧部材は開位置と閉位置との間で回動自在となっているようにすることができ、その場合、加圧部材を開位置へ向けて移動させることに連動してカバー体が待機位置から覆蓋位置へ向けて移動する。
【００２０】
また、本発明において、カバー体は待機位置から覆蓋位置へ、回動そして直動の少なくとも一方の動作を伴って移動可能とすることができる。
【００２１】
本発明において、カバー体は、覆蓋位置でハウジングもしくは支持部材との間で位置固定するロック手段を有していることが好ましい。カバー体は、覆蓋位置にもたらされた後は、加圧部材が閉位置へ移動しても、これに係りなく上記覆蓋位置に留まるが、不用意な外力を受けて若干たりとも開いて回路基板との間に隙間が形成されると、ここから塵埃等が侵入する可能性があるので、これを防止する観点から上記ロック手段を有していることが望まれる。  
【００２２】
本発明において、カバー体はカム軸を有し、ハウジングもしくは支持部材がカム軸受部を有し、カム軸受部は少なくとも一部に可撓部が設けられていて、カバー体の覆蓋位置への回動時に上記カム軸部が可撓部の最大撓み位置を超えて回動しているようにすることもできる。かかる形態では、カバー体は、覆蓋位置へ向けて回動するとき、その過程においてカム軸がカム軸受部を弾性撓みせしめて回動し、最大撓み位置を越えて覆蓋位置へもたらされるので、この覆蓋位置から逆方向での回動、すなわち開方向への移動がカム軸受部からの反力により阻止される。ロック手段の一種とも言える。
【発明の効果】
【００２３】
本発明は、以上のように、カバー体を当初よりコネクタ本体に組み込んでいるので、別途カバー体を準備する必要もなく、作業が楽になると共に、部品の管理上、特段の注意を払う必要もない。さらに、開位置で平型ケーブルの挿入を可能とし挿入後に端子への接触をせしめるべく該平型ケーブルを加圧する閉位置へ移動する加圧部材が、回路基板との接続を行う端子の接続部を覆うカバー体と連動するようにするならば、回路基板への端子の接続部の半田等による接続後、平型ケーブルを接続するために加圧部材を開位置へもらたすだけで、上記カバー体は連動して自動的に接続部を覆うようになり、作業がきわめて確実かつ簡単になる。
【発明を実施するための最良の形態】
【００２４】
以下、添付図面の図１ないし図９にもとづき、本発明の実施の形態を説明する。
【００２５】
＜第一実施形態＞
図１にて全体の外観が斜視図で示されている本実施形態のコネクタは、コネクタ本体１０とカバー体３０とを有している。
【００２６】
コネクタ本体１０は複数の板状の端子２０の配列方向に長い略直方体の外形を有している。該コネクタ本体１０は、絶縁材料から作られたハウジング１１に上記端子２０が配列されている。該ハウジング１１は、上記端子２０の配列方向に対して直角な面での拡大断面を示す図２に見られるように、左上部が紙面に直角な方向での両端における端壁１２の間で開口部１１Ａを形成し、後述の加圧部材１３の配設のための空間を供している。上記ハウジング１１の右半部には、図２にて紙面に平行なスリット状の溝１４が左右に貫通して形成されている。該溝１４の右方からには板状の上記端子２０が圧入されており、各端子２０に対応して図２にて紙面に直角な方向に所定間隔で形成されている。各溝１４は右方に開口し、左方では上記開口部１１Ａに連通している。
【００２７】
上記端子２０は、金属板の板面をそのまま維持して外形づけられており、図２において、紙面に平行な平坦面を有している。上記溝１４へ収められるこの端子２０は、溝１４の上下の内縁に対して圧入される圧入部２１と、この圧入部２１から上部で左方に延びる支持腕２２と、該支持腕２２の基部から下方へそして左方へ湾曲して延びる接触腕２３と、さらには上記圧入部２２の下部で右方へハウジング１１外に突出するクランク形状の接続部２４とを有している。
【００２８】
上記支持腕２２は剛性が高く、その先端寄りの下縁に円弧状の凹部として形成される軸支部２２Ａを有している。一方、接触腕２３は弾性を有していて可撓であり、溝１４の下縁から浮いている先端の上縁に突部として接触部２３Ａが形成されている。さらに上記接続部２４は、クランク形状に屈曲していて、ハウジング１１外部分の下縁がハウジング１１の底面とほぼ同じかあるいは若干下方に位置していて、ハウジング１１が回路基板Ｐ上に配置されたときに、上記接続部２４の下縁が該回路基板の面に形成されている対応回路部と確実に接触するようになっている。
【００２９】
上記加圧部材１３は、ハウジング１１と同様に絶縁材で作られており、図２にて、左端側がハウジングの開口部１１Ａ外に突出して操作部１３Ａを形成し、右端側に円筒状の軸部１３Ｂを有している。該軸部１３Ｂは上記端子２０の軸支部２２Ａで回動自在に支持されている。この加圧部材１３は、図２にて紙面に直角方向に延び、同方向で上記ハウジング１１の開口部１１Ａの範囲に及んでいる。該加圧部材１３は、図２にて紙面に直角な方向での両端部に、上記軸部１３と同一軸線上に同様な軸部をも有していてハウジング１１によっても回動自在に支持されている。上記加圧部材１３は、上記軸部１３Ｂまわりに回動操作されて、図２に示された横方向に向く閉位置から上記ハウジング１１の開口部１１Ａを大きく開放するように時計方向に約９０°回動して起立した開位置へのこの回動を可能とするように、上記軸部１３Ｂ側の部分１３Ｃが切欠かれている。この切欠き部分１３Ｃの縁部で図２における上隅部が該加圧部材１３の開位置への回動時に後述のカバー体３０を押圧するための押圧部１３Ｄを形成し、下隅部が閉位置への回動時に後述の平型ケーブルを圧する加圧部１３Ｅを形成している。
【００３０】
カバー体３０は、ハウジング１１と同様な絶縁材料で作られていて、図２に見られるように、上壁部３１と一方の側壁部３２とにより逆Ｌ字状断面をなし紙面に直角方向に延びており、図１に見られるようにハウジングの端壁１２の外面に面する端壁３３をも有している。かくして、カバー体３０は、上記上壁部３１と一方の側壁部３２そして両側の端壁３３とにより、図２にて下方そして右方に開放せる空間を形成する。この両方の端壁３３の下端側内面には、図３（Ａ）〜（Ｃ）に見られるように、内方に突出してカム軸３４と回動軸３５とを同一軸線上に有している。このカム軸３４は、図３（Ｃ）のごとく、基円に対し周方向一部にて隣接する二つの直線部３４Ａによって該基円から突き出る角部３４Ｂを有し、この角部３４Ｂでカム半径が最大値をとるようになっている。
【００３１】
上記ハウジング１１はその端壁１２にて上記カバー体３０の回動軸３５とカム軸３４とを支持するようになっている。図４はカバー体３０なしのコネクタ本体１０の一方の端壁１２の周辺を示し、図４（Ａ）はコネクタ本体１０とカバー体３０の上記カム軸３４のみをその断面にて両者の関係を示し、図４（Ｂ）はカバー体３０の上記回動軸３５のみをその断面で同様の関係を示している。
【００３２】
上記ハウジング１１には金属板を屈曲成形して作られた支持部材３６が取りつけられている。該支持部材３６は腕状のカム支持部３６Ａと固定部３６Ｂとを有し、両者はそれらの板面が互いに平行な状態で互いの下部にて連結部３６Ｃによって連結されている。上記固定部３６Ｂはカム支持部３６Ａよりも長く延びて形成されている。この固定部３６の先端側は若干のテーパ部をもって先細りとなっている。カム支持部３６Ａは二股形状で上腕３６Ａ１と下腕３６Ａ２とを有し、両腕３６Ａ１，３６Ａ２とは斜部を経た後、互いに平行に延びている。上腕３６Ａ１は比較的幅広で剛性を有し、これに対し下腕３６Ａ２は細く可撓性を有している。上腕３６Ａ１と下腕３６Ａ２の間隔は、上記カム軸３４の基円の直径とほぼ等しい。
【００３３】
このように構成される支持部材３６は、その腕状の固定部３６Ｂがハウジング１１に形成された対応溝（図示せず）へ矢印Ａ方向に圧入されて保持され、一方、カム支持部３６Ａはハウジング１１の端壁１２の外面に接面して位置するようになる。図４（Ａ）では上記対応溝に圧入された固定部３６Ｂの先端が上記対応溝の開口にまで達していることが判る。また、連結部３６Ｃはハウジング１１の底面レベルに位置し、回路基板のダミーパッドと半田付けされ固定金具としても寄与する。
【００３４】
又、ハウジング１１の端壁１２の外面には上方に開口するＵ字状の凹部１２Ｂが形成されていて、ここにカバー体３０の回動軸３５が収められている。上記支持部材３６は、図４（Ｂ）のごとく上記カバー体３０の上記回動軸３５を上方から上記凹部１２Ｂに収めた後に、上記固定部３６Ｂをハウジング１１の対応溝へ圧入することにより取りつけられる。この取付けによって、カム支持部３６Ａの上腕３６Ａ１と下腕３６Ｂとの間でカム軸３４を図４（Ａ）のごとく支持する。カム軸３４が図４（Ａ）の状態で支持されたカバー体３０は、図１そして図２に示されるように上方に起立している位置でコネクタ本体１０に取りつけられていることとなる。
【００３５】
以下、このような形態のカバー体付き電気コネクタの使用要領について説明する。
【００３６】
（１）使用前は、コネクタは図１及び図２に示されるように加圧部材１３が閉位置そしてカバー体３０が起立した待機位置の状態にある。このコネクタのカバー体３０の状態について示したのが図６であり、図２に対応する状態は図６（Ａ）である。先ず、図２のごとく、かかるコネクタを回路基板Ｐ上の所定位置に配置し、該コネクタの端子２０の接続部２４を回路基板Ｐの対応回路部に対して半田等により接続する。
【００３７】
（２）次に、コネクタへ平型ケーブルを接続するために、加圧部材１３を開位置へ時計回り方向で回動することにより、コネクタ本体１０の開口部１１Ａを大きく解放する。図５にて、図５（Ａ）のように加圧部材１３を回動し始めると、該加圧部材１３の押圧部１３Ｄがカバー体３０の側壁部３２を押して該カバー体３０はその回動軸３５まわりに回動し始める。このとき、図６（Ａ）〜（Ｂ）に見られるように、カバー体３０はそのカム軸３４の角部３４Ｂにより、支持部材３６の下腕３６Ａ２を下方に撓み変形させて、上腕３６Ａ１と下腕３６Ａ２との間隔を次第に拡げる。
【００３８】
（３）加圧部材１３をさらに回動すると、上記カム軸３４は上記上腕３６Ａ１と下腕３６Ａ２との間隔を最大値とする位置（図６（Ｃ）の位置）を越える。しかる後、加圧部材１３の押圧部１３Ｄで押されたカバー体３０は、図５（Ｂ）そして図６（Ｄ）に示されるように、図２で示した上壁部３１の右端が回路基板Ｐに当接するようになる。この時点で、カバー体３０の側壁部３２の内面がコネクタ本体１０の上面と近接しており、該カバー体３０は完全に端子２０の接続部２４を覆う覆蓋位置にくるようになる。このとき、カム軸３４は支持部材３６の上腕３６Ａ１と下腕３６Ａ２との間隔を若干拡げており、角部３４Ｂが回動軸３５の軸線に対して上壁部３１と対向する位置にあって、カバー体３０に対して時計まわり方向のトルクを生じているので、該上壁部３１を回路基板に向けて押圧するようになる。また、加圧部材１３は開位置にあるので、コネクタ本体の開口部１１Ａは左方に大きく開いており、平型ケーブルの挿入が可能となっている。
【００３９】
（４）しかる後、図５（Ｃ）のごとく、平型ケーブルＣを上記開口部１１Ａに挿入し、次に、加圧部材１３を閉位置へ反時計回り方向で回動する。この回動時には、加圧部材１３は上記カバー体３０から離反するのみであり、したがって、上記カバー体３０は図５（Ｃ）のごとく覆蓋位置に留まる。一方、加圧部材１３はその加圧部１３Ｅにて平型ケーブルＣを圧して端子２０の接触部２３Ａへ弾圧接触せしめる。かくして、平型ケーブルの挿入そして接続のための加圧部材１３の操作によって、カバー体３０はこれと連動して端子の接続部２４を保護するようになる。
【００４０】
本実施形態において、カバー体３０を覆蓋位置に確実に保持するためには、該カバー体とハウジングとの間にロック手段を有していることが好ましい。例えば、図４（Ａ）にて二点鎖線で示されるような上面に斜面１５Ａを有するロック突起１５を設け、カバー体の内面の対応位置に係止段部を形成しておくならば、カバー体のこの係止段部は上記ロック突起１５の斜面１５Ａ上をスライドして弾性変形しつつ覆蓋位置へ達し、ここでの変形が解除されて上記ロック突起１５の下面と係止してロックがなされる。
【００４１】
＜第二実施形態＞
第一実施形態にあっては、加圧部材は開位置へ回動する際にカバー体に当接しているのみであって開位置への回動途中に逆方向に回動させればカバー体とは離間するようになっている。これに対し、本実施形態では加圧部材はカバー体と掛止し合っていて加圧部材の開位置に至るまでは、どちらの方向に回動しても加圧部材とカバー体とが離れないという点に特徴がある。
【００４２】
図７において、加圧部材１３は該加圧部材１３の押圧部１３Ｄがテーパ付溝部として形成され、カバー体３０は側壁部３２の下部に上記押圧部１３Ｄに嵌合する突起３２Ａが設けられていて、押圧部１３Ｄに突起３２Ａが嵌合している。本実施形態では、この点を除いては、第一実施形態と同じである。
【００４３】
このような本実施形態では、図８（Ａ）〜（Ｂ）のごとく、上記押圧部１３Ｄと突起３２Ａで嵌合している加圧部材１３とカバー体３０とは、加圧部材１３の開位置までの回動の際、一体となって回動する。これは、この回動が加圧部材１３とカバー体３０のどちらによってなされても共に回動することを意味する。
【００４４】
加圧部材１３が開位置に達したときには、カバー体３０が図４で示したようなロック手段で覆蓋位置にロックされて、このロック力が上記押圧部１３Ｄと突起３２Ａとの嵌合解除力よりも大きいために、加圧部材１３は単独で閉位置へ回動操作される（図８（Ｃ）参照）。
【００４５】
＜第三実施形態＞
第一及び第二実施形態では、加圧部材の開位置への回動によって、カバー体も回動することにより覆蓋位置へ移動したが、本実施形態では、カバー体は若干の回動は伴うものの、主として直動する。
【００４６】
図９（Ａ）において、コネクタ本体１０のハウジング１１には、その上面にロック突起１１Ｂが設けられている。
【００４７】
これに対し、上記コネクタ本体１０の右上角部をほぼ覆うように位置している逆Ｌ字状断面のカバー体３０の側壁部３２には、カバー体３０が覆蓋位置にきたときに上記ロック突起１１Ｂに嵌合するロック孔３２Ｂが形成されている。該カバー体３０は、例えば、後述する支持部材等の付勢部材により下方に付勢されている。
【００４８】
コネクタ本体１０のハウジング１１の端壁１２の外面には、図９（Ｂ）のごとく、金属板で作られた支持部材３６が取りつけられており、この支持部材３６は可撓腕部３６Ｄを経て二つの上下腕３６Ｅ，３６Ｆを有している。一方、上記カバー体３０の端壁３３の内面には横長断面の係合突起３７が設けられていて、この係合突起３７が上記上下腕３６Ｅ，３６Ｆ間で横方向にスライド可能に、かつ下方に付勢されるように支持されている。
【００４９】
加圧部材１３は、図９（Ａ）において、その回動のための軸部１３寄りの部分１３Ｆがハウジング１１の上壁部と櫛歯状に噛み合っていて、この上壁部の領域内にまで入り込む位置まで回動自在となっている。
【００５０】
かかる加圧部材１３を図９（Ａ）の閉位置から図９（Ｂ）の開位置へ回動すると、該加圧部材１３は上記部分１３Ｆがハウジング１１の上壁部と噛み合う位置まで達し上記カバー体３０を右方へ押してスライド移動させる。カバー体３０のロック孔３２Ｂがハウジングのロック突起１１Ｂの位置まで達すると、カバー体３０は付勢部材により下方に引かれて上記ロック孔３２Ｂにロック突起１１Ｂが嵌入して、図９（Ｂ）のごとく、カバー体３０が覆蓋位置にもたらされると共に、その位置でロックされる。
【図面の簡単な説明】
【００５１】
【図１】本発明の第一実施形態のコネクタの全体の外観を示す斜視図である。
【図２】図１のコネクタの端子配列方向に直角な面での断面図である。
【図３】図１及び図２のコネクタのカバー体を示し、（Ａ）は図１で右方から見た正面図、（Ｂ）は（Ａ）におけるＢ−Ｂ断面図、（Ｃ）は（Ａ）におけるＣ−Ｃ断面図である。
【図４】図１のコネクタの端子配列方向での端部周辺をカバー体を外した状態（カバー体の回動軸とカム軸のみを断面で図示）で示す斜視図であり、（Ａ）は支持金具が見えるようにカム軸で断面、（Ｂ）は回動軸での断面位置で示されている。
【図５】図２のコネクタを動作順に示す断面図で、（Ａ）は加圧部材の開位置への回動途中の状態、（Ｂ）は開位置の状態、（Ｃ）は開位置から閉位置へ戻った状態をそれぞれ示す。
【図６】図２のコネクタのカバー体をその動作順にしたがって示す断面図で、（Ａ）はカバー体が加圧部材の開位置への回動開始前の位置に対応する位置、（Ｂ），（Ｃ）はカバー体が覆蓋位置への回動途中、（Ｄ）は覆蓋位置にある状態をそれぞれ示す。
【図７】第二実施形態のコネクタの断面図で、加圧部材の開位置への回動開始前の位置の状態を示す。
【図８】図７のコネクタを動作順に示す断面図で、（Ａ）は加圧部材の開位置への回動途中の状態、（Ｂ）は開位置の状態、（Ｃ）は開位置から閉位置へ戻った状態をそれぞれ示す。
【図９】第三実施形態を示し、（Ａ）は加圧部材の開位置への回動前における状態での断面図、（Ｂ）は加圧部材が開位置に達したときのハウジング端壁における側面図で一部破断されている。
【図１０】従来のカバー体付き電気コネクタを示し、（Ａ）はカバー体の断面図、（Ｂ）はコネクタ本体の断面図でカバー体が取りつけられたときの状態が二点鎖線で示されている。
【符号の説明】
【００５２】
１１  ハウジング              ３０  カバー体
１３  加圧部材                ３４  カム軸
２０  端子                    ３６  支持部材
２３Ａ  接触部                Ｐ  回路基板
２４  接続部
【図１】
2006120554.tif 000003
【図２】
2006120554.tif 000004
【図３】
2006120554.tif 000005
【図４】
2006120554.tif 000006
【図５】
2006120554.tif 000007
【図６】
2006120554.tif 000008
【図７】
2006120554.tif 000009
【図８】
2006120554.tif 000010
【図９】
2006120554.tif 000011
【図１０】
2006120554.tif 000012
【手続補正書】
【提出日】平成16年11月5日(2004.11.5)
【手続補正１】
【補正対象書類名】図面
【補正対象項目名】図１
【補正方法】変更
【補正の内容】
【図１】
2006120554.tif 000013
【手続補正２】
【補正対象書類名】図面
【補正対象項目名】図２
【補正方法】変更
【補正の内容】
【図２】
2006120554.tif 000014
【手続補正３】
【補正対象書類名】図面
【補正対象項目名】図３
【補正方法】変更
【補正の内容】
【図３】
2006120554.tif 000015
【手続補正４】
【補正対象書類名】図面
【補正対象項目名】図４
【補正方法】変更
【補正の内容】
【図４】
2006120554.tif 000016
【手続補正５】
【補正対象書類名】図面
【補正対象項目名】図５
【補正方法】変更
【補正の内容】
【図５】
2006120554.tif 000017
【手続補正６】
【補正対象書類名】図面
【補正対象項目名】図６
【補正方法】変更
【補正の内容】
【図６】
2006120554.tif 000018
【手続補正７】
【補正対象書類名】図面
【補正対象項目名】図７
【補正方法】変更
【補正の内容】
【図７】
2006120554.tif 000019
【手続補正８】
【補正対象書類名】図面
【補正対象項目名】図８
【補正方法】変更
【補正の内容】
【図８】
2006120554.tif 000020
【手続補正９】
【補正対象書類名】図面
【補正対象項目名】図９
【補正方法】変更
【補正の内容】
【図９】
2006120554.tif 000021
【手続補正１０】
【補正対象書類名】図面
【補正対象項目名】図１０
【補正方法】変更
【補正の内容】
【図１０】
2006120554.tif 000022